(57)【要約】【課題】周辺部品の寸法を変更することなく、軸受の転がり抵抗を低減することができる自動調心ころ軸受を提供する。【解決手段】ころ１７、１７の端面の間に断面略三角形状の自由指導輪３１が設けられている。前記自由指導輪３１はころ１７、１７の端面に隣接する側面３１ａが略円弧状に形成されて、保持器１６に内蔵され、かつ一端（図２において下端）が内輪１３に接触しているので、円筒状ころ１７の端面１７ｂと自由指導輪３１の側面３１ａとは点接触の状態に形成されているので、端面１７ｂと側面３１ａとが接触し、かつ転動した際に、これらの端面１７ｂと側面３１ａとの接触面が小さいので、摺動抵抗を小さくすることができる。【選択図】図１
2007205388.tif 000002
【特許請求の範囲】
【請求項１】
外輪および内輪との間で保持器により回転自在に保持された転動体と、
前記転動体の間に保持された指導輪と、
を有する自動調心ころ軸受において、
前記指導輪は前記転動体が接触する面が全体に円弧状に形成されていることを特徴とする自動調心ころ軸受。
【請求項２】
請求項１記載の自動調心ころ軸受において、
前記指導輪は、前記転動体が接触する面に先端が円弧形状の突起が円周方向に連続して形成されていることを特徴とする自動調心ころ軸受。
【請求項３】
請求項２記載の自動調心ころ軸受において、
前記突起は先端が球形状であり円周方向に等間隔に複数個形成されていることを特徴とする自動調心ころ軸受。
【発明の詳細な説明】
【技術分野】
【０００１】
本発明は自動調心ころ軸受に関し、さらに詳細にはころを保持する保持器の間に、ころの公転をガイドする機能を有する指導輪の形状の改良に構造に関する。
【背景技術】
【０００２】
従来、この種の自動調心ころ軸受１０は図５に示すように外周に複列の内輪軌道面１１、１２を有する内輪１３と、内周に幅広い外輪軌道面１４を有する外輪１５と、内輪１３外輪１５との間に保持器１６により所定間隔で転動自在に保持されたころ１７が設けられている。外輪軌道１４の断面は軸受中心１８を中心とした円弧とされ、ころ１７のころ断面の外径１７ａは外輪軌道面１４の円弧と同一に形成されている。内輪軌道面１１、１２も同様に円弧にされころ１７が転動可能に配設されている。かかる構造の自動調心ころ軸受１０は、外輪１５に対してころ１７及び内輪１３が外輪軌道面１４の円弧に沿って傾くことができる。
【０００３】
さらに、左右のころ１７の間には断面三角形にリング状の指導輪１９が設けられ、ころ１７の位置を規制している。ころ１７の位置決めをするための保持器１６が大端面２０を対向させた左右対称に設けられている技術が本出願人によって提案されている（例えば、特許文献１参照）。
【０００４】
【特許文献１】特開２００４−９２７１１号公報
【発明の開示】
【発明が解決しようとする課題】
【０００５】
本発明は、特許文献１に関連してなされたもので、周辺部品の寸法を変更することなく、軸受の転がり抵抗を低減することができる自動調心ころ軸受を提供することを目的とする。
【課題を解決するための手段】
【０００６】
前記課題を解決するために、請求項１の記載の発明は、外輪および内輪との間で保持器により回転自在に保持された転動体と、
前記転動体の間に保持された指導輪と、
を有する自動調心ころ軸受において、
前記指導輪は前記転動体が接触する面が全体に円弧状に形成されていることを特徴とする。
本発明によれば、周辺部品の寸法を変更することなく、軸受の転がり抵抗を低減することができる。
請求項２の記載の発明では、前記指導輪は、前記転動体が接触する面に先端が円弧形状の突起が円周方向に連続して形成されているので、転動体と指導輪との接触面が少ないので摺動抵抗をより一層小さくすることができる。
請求項３の記載の発明では、前記突起は先端が球形状であり円周方向に等間隔に複数個形成されているので、転動体と指導輪との接触面が点接触になって不連続になるので、さらに一層摺動抵抗を小さくすることができる。
【発明の効果】
【０００７】
本発明は、周辺部品の寸法を変更することなく、軸受の転がり抵抗を低減することができ、騒音、耐久性を向上させることが可能である。また、軸受の発熱温度を下げることができる。
【発明を実施するための最良の形態】
【０００８】
本発明に係る自動調心ころ軸受につき好適な実施の形態を挙げ添付図面を参照しながら以下詳細に説明する。図１は、本発明の実施の形態に係る自動調心ころ軸受３０の要部拡大略縦断面図を示す。図１中、図５の構成要素と同一の構成要素については同一符号を付して詳細な説明を省略する。
図１において、ころ１７、１７の端面の間に断面略三角形状の自由指導輪（指導輪）３１が設けられている。前記自由指導輪３１は図２に示すようにころ１７、１７の端面に隣接する側面３１ａが円弧状に形成されて、保持器１６に内蔵され、かつ一端（図２において下端）が内輪１３に接触している。
本実施の形態に係る自動調心ころ軸受３０では、ころ（転動体）１７の端面１７ｂと自由指導輪３１の側面３１ａとは点接触の状態に形成されているので、端面１７ｂと側面３１ａとが接触し、かつ転動した際に、これらの端面１７ｂと側面３１ａとの接触面が小さいので、摺動抵抗を小さくすることができる。
【０００９】
図３は他の自由指導輪３２を示す概略斜視図を示す。図３において自由指導輪３２は、側面３２ａの略中央部に先端が円弧状の突起３３が円周方向に連続して形成されている。
これにより、ころ１７の端面１７ｂと突起３３は線接触になるので、端面１７ｂと突起３３との接触状態における摺動抵抗は先の実施の形態に示す図１及び図２よりも小さくすることができる。
さらに、前記突起３３は先端が球形状であり円周方向に等間隔に複数個形成すると、ころ１７と自由指導輪３２との接触面が点接触になって不連続になるので、さらに一層摺動抵抗を小さくすることができる。
【００１０】
図４は、自動調心ころ軸受１０が振動篩などの振動機械の駆動装置４０に採用された概略構造図を示す。図４中、図１乃至図３の構成要素と同一の構成要素ついては同一符号を付して詳細な説明を省略する。
図４において、振動源であるモータ４１のフレーム４２は、ボルト等で内側可動側板４３の枠に固定されている。ステータ４４は、フレーム４２に、ロータ４５はシャフト４６に固定されている。シャフト４６は自動調心ころ軸受１０を介してブラケット４７に支持されている。シャフト４６の軸端に偏心軸４８が加工され、軸受４９を介してハウジング５０が連結されている。ハウジング５０とばね座５１は、板ばね５２により連結されている。板ばね５２のハウジング５０とばね座５１への固定は、押え板５３とボルト、ナットにより行われる。ばね座５１は、ボルト等で外側可動板５４に固定されている。
図４に示す振動機械の駆動装置４０に自動調心ころ軸受１０を採用することにより、摺動抵抗を低減することができるので、円滑に内側可動側板４３を可動させることができ、騒音を小さくすることが可能である。
【図面の簡単な説明】
【００１１】
【図１】本発明の実施の形態に係る自動調心ころ軸受の要部拡大略縦断面図である。
【図２】図１の自由指導輪の要部拡大略縦断面図である。
【図３】図１の自由指導輪の他の変形例を示す要部拡大略斜視図である。
【図４】本発明の実施の形態に係る自動調心ころ軸受を採用した振動機械の駆動装置の概略構造図である。
【図５】従来の自動調心ころ軸受の要部拡大略縦断面図である。
【符号の説明】
【００１２】
１０、３０  自動調心ころ軸受            １１、１２  内輪軌道面
１３  内輪                              １４  外輪軌道面
１５  外輪                              １６  保持器
１７  ころ                              １９  指導輪
３１、３２  自由指導輪                  ３３  突起
【図１】
2007205388.tif 000003
【図２】
2007205388.tif 000004
【図３】
2007205388.tif 000005
【図４】
2007205388.tif 000006
【図５】
2007205388.tif 000007